(57)【要約】【課題】施工性のよいアース線取付具を提供する。【解決手段】アース線取付具１は、結束部３と、取付具本体２とを備える。結束部３は、金属製の電線管の外周よりも長いバンド３２と、バンド３２の一端側に設けられて電線管の外周面に巻きつけられたバンド３２の他端側を係止する係止部３１とを有する。取付具本体２は、金属板２０から形成され、アース線を取り付けるためのねじ孔２１ａと、バンド３２の長手方向において移動自在となるようにバンド３２に取り付けられる取付部２２を有する。取付具本体２は、ねじ孔２１ａが設けられた部位がバンド３２から離れるように、ねじ孔２１ａと取付部２２との間を折り曲げた折曲部５を有する。【選択図】図１
2015012724.tif 000002
【特許請求の範囲】
【請求項１】
金属製の電線管の外周よりも長いバンド、及び前記バンドの一端側に設けられて前記電線管の外周面に巻きつけられた前記バンドの他端側を係止する係止部を有する結束部と、
金属板から形成され、アース線を取り付けるためのねじ端子部、及び前記バンドの長手方向において移動自在となるように前記バンドに取り付けられる取付部を有する取付具本体とを備え、
前記取付具本体は、前記ねじ端子部が設けられた部位が前記バンドから離れるように、前記ねじ端子部と前記取付部との間を折り曲げた折曲部を有することを特徴とするアース線取付具。
【発明の詳細な説明】
【技術分野】
【０００１】
本発明は、アース線取付具に関するものである。
【背景技術】
【０００２】
従来、内部に電線を挿通する金属製の電線管を相互に接続する電線管接続部材があった（例えば特許文献１参照）。特許文献１に記載された電線管接続部材は、電線管を相互に接続した状態でそれぞれの電線管と導通するように設けられており、電線管接続部材の側面には、アース線を接続するための接地用ネジがねじ込まれている。
【先行技術文献】
【特許文献】
【０００３】
【特許文献１】特開平１０−２７４３６９号公報
【発明の概要】
【発明が解決しようとする課題】
【０００４】
上述した電線管接続部材は、電線管の継ぎ目部分に設けられるため、一端側を所定位置に接続したアース線の他端側を、電線管の継ぎ目付近まで引き延ばす必要があり、施工性が悪かった。
【０００５】
本発明は上記課題に鑑みて為されたものであり、その目的とするところは、施工性のよいアース線取付具を提供することにある。
【課題を解決するための手段】
【０００６】
このアース線取付具において、金属製の電線管の外周よりも長いバンド、及び前記バンドの一端側に設けられて前記電線管の外周面に巻きつけられた前記バンドの他端側を係止する係止部を有する結束部と、金属板から形成され、アース線を取り付けるためのねじ端子部、及び前記バンドの長手方向において移動自在となるように前記バンドに取り付けられる取付部を有する取付具本体とを備え、前記取付具本体は、前記ねじ端子部が設けられた部位が前記バンドから離れるように、前記ねじ端子部と前記取付部との間を折り曲げた折曲部を有することを特徴とする。
【発明の効果】
【０００７】
本発明によれば、取付具本体を電線管の外周面における所望の位置に取り付けることができて、且つねじ端子部がバンドから離れるように設けられているので、アース線をねじ端子部に接続する作業がしやすくなる。
【図面の簡単な説明】
【０００８】
【図１】本実施形態のアース線取付具を示し、（ａ）は正面図、（ｂ）は右側面図である。
【図２】同上の要部を示し、（ａ）は正面図、（ｂ）は右側面図である。
【図３】同上の施工方法を説明するための説明図である。
【発明を実施するための形態】
【０００９】
以下に、本実施形態の説明として、金属製の円筒状の電線管に取り付けられるアース線取付具について図１〜図３を参照して説明する。尚、電線管は、例えば日本工業規格（ＪＩＳ  Ｃ  ８３０５）で規定された電線保護のための金属製のパイプであるが、電線管はＪＩＳ  Ｃ  ８３０５の規格に沿うものに限定されず、適宜の金属製の電線管であってよい。また、以下の説明では図１（ａ）に示す向きを基準として上下左右の方向を規定し、図１（ｂ）における左右方向を前後方向として説明するが、この方向は説明の便宜上定義するものであり、実際の使用状態での方向を上記の方向に限定するものではない。
【００１０】
アース線取付具１は、取付具本体２と結束部３とで構成される。
【００１１】
取付具本体２は、図２（ａ）に示すように平面視の形状がＴ形に形成された金属板２０からなる。金属板２０の上側の幅広部分には、上下方向の中間部分を前側に折り曲げた折曲部５が設けられており、金属板２０は、折曲部５よりも上側の折曲片２１と、折曲部５よりも下側の取付部２２とを一体に備える。
【００１２】
折曲片２１には、ねじ孔２１ａが設けられており、ねじ孔２１ａの右側には、取付具本体２が接地用の部材であることを示すためのマーク２１ｂが設けられている。ねじ孔２１ａは、バーリング加工によって折曲片２１の背面に形成された筒部２１ｃの内周面をねじ加工して形成される。ねじ孔２１ａには、アース線（図示せず）を取り付けるためのねじ（図示せず）がねじ込まれる。尚、ねじ孔２１ａは、バーリング加工によって形成されることに限定されず、適宜の方法でねじを固定できればよい。例えばねじ孔２１ａは、折曲片２１に孔を設けてその孔と同心となるように取り付けられたナット等で形成されていてもよい。
【００１３】
取付部２２には取付孔４が設けられており、取付孔４は、折曲片２１と取付部２２との角に設けられた左右方向に長い長円形状の長孔４ａと、取付部２２の下側に設けられた左右方向に長い長円形状の長孔４ｂとで形成される。取付部２２における長孔４ａと長孔４ｂとの間には、上下方向に長い長孔２２ａが形成されており、長孔２２ａが形成されていない場合に比べて取付部２２が前後方向に撓みやすくなっている。
【００１４】
結束部３は、図１に示すように係止部３１とバンド３２とで構成されている。
【００１５】
係止部３１は、金属材料（例えばＳＵＳ３１６等）または樹脂材料（例えばナイロン６，６等）により上下方向の両端面（バンド３２の長手方向における両端面）が開口している矩形筒状に形成されており、係止部３１の前面には、前方に突出する膨出部３１ａが設けられている。膨出部３１ａの内部には、膨出部３１ａの内側面から係止部３１の背面方向に突出する係止爪３１ｃが設けられている。
【００１６】
バンド３２は、金属材料（例えばＳＵＳ３１６等）または樹脂材料（例えばナイロン６，６等）により長細の帯状に形成されており、係止部３１の内部を挿通している。バンド３２の下端側には、先端が先細の先端部３２ａが形成されている。バンド３２の前面には、例えばバンド３２の幅方向に沿う係止溝（図示せず）が、バンド３２の長手方向に連なるように複数設けられている。バンド３２は、係止溝を設けた面が係止爪３１ｃに対向するようにして係止部３１の内部を挿通しており、係止部３１の上下両側の開口部からバンド３２の両端がそれぞれ突出している。係止部３１の上側の開口部から突出したバンド３２の上側の先端部分は、係止部３１の背面側に折り返されて、例えば超音波溶着等によって係止部３１の背面に固定されている。係止部３１の上側の開口部には、挿通しているバンド３２の表面と係止部３１とによって挿入孔３１ｂが形成されており、係止部３１の下側の開口部には、挿通しているバンド３２の表面と係止部３１とによって取出孔３１ｄが形成されている。
【００１７】
結束部３の膨出部３１ａが前方を向いた状態で、バンド３２の先端部３２ａを取付具本体２の背面から長孔４ａに挿入することで、バンド３２が長孔４ａを挿通して取付部２２の前方に突出する。長孔４ａを挿通した先端部３２ａを、取付部２２の前面から長孔４ｂに挿入することにより、取付具本体２がバンド３２に沿って移動自在な状態で結束部３に取り付けられる。
【００１８】
ここで、アース線取付具１を電線管に取り付ける方法について図３を用いて説明する。
【００１９】
結束部３の長手方向が電線管６の周方向に沿うように取付具本体２の背面を電線管６の外周面に当接させ、バンド３２の先端部３２ａを挿入孔３１ｂに挿入することで、バンド３２が電線管６に環状に巻きつけられる。係止部３１を挿通した先端部３２ａを、取出孔３１ｄから引き出して取付具本体２の背面から長孔４ａに挿入することにより、先端部３２ａが取付具本体２の前方に突出する。先端部３２ａを取付具本体２の前方に引き出して、係止部３１を挿通するバンド３２を係止部３１から前方に引き出すことにより、バンド３２が電線管６の周面に沿って締まる。尚、本実施形態では、バンド３２を電線管６に環状に巻きつけた後に、取出孔３１ｄから突出したバンド３２は長孔４ａを挿通しているが、取出孔３１ｄから突出したバンド３２は長孔４ａを挿通しなくてもよい。例えば、取出孔３１ｄから突出したバンド３２が長孔４ａまで届かない場合や、バンド３２を締めた後に取出孔３１ｄから突出したバンド３２を切り取った場合には、バンド３２は長孔４ａを挿通しなくてもよい。
【００２０】
バンド３２の先端部３２ａを挿入孔３１ｂに挿入すると、係止部３１の内部に設けられた係止爪３１ｃがバンド３２の表面に設けられた係止溝に嵌合する。係止爪３１ｃには、挿入孔３１ｂに挿入されたバンド３２が抜けないようにするためのかえし（図示せず）が設けられており、一旦バンド３２を締めると緩まないので、バンド３２は電線管６を締め付けた状態で係止部３１に係止される。
【００２１】
取付部２２は、バンド３２と電線管６とによって挟まれて撓んだ状態で電線管６の外周面に当接する。取付部２２と電線管６とが接することで、取付具本体２は電線管６と電気的に接続する。取付具本体２は、取付部２２の背面を電線管６の外周面に当接させた状態で電線管６に取り付けられるので、取付部２２の前方に折り曲げられている折曲片２１が、電線管６の径方向の外向きに突出する。折曲片２１に設けられているねじ孔２１ａにアース線（図示せず）の一端側をねじ（図示せず）で固定し、アース線の他端側を接地することにより、電線管６が接地される。
【００２２】
以上説明したように、本実施形態のアース線取付具１は、結束部３と、取付具本体２とを備える。結束部３は、金属製の電線管６の外周よりも長いバンド３２と、バンド３２の一端側に設けられて電線管６の外周面に巻きつけられたバンド３２の他端側を係止する係止部３１とを有する。取付具本体２は、金属板２０から形成され、アース線を取り付けるためのねじ孔２１ａ（ねじ端子部）と、バンド３２の長手方向において移動自在となるようにバンド３２に取り付けられる取付部２２を有する。取付具本体２は、ねじ孔２１ａが設けられた部位がバンド３２から離れるように、ねじ孔２１ａと取付部２２との間を折り曲げた折曲部５を有する。
【００２３】
取付具本体２を電線管６の外周面における所望の位置に取り付けることができて、且つねじ孔２１ａがバンド３２から離れるように設けられているので、アース線をねじ孔２１ａに接続する作業がしやすくなる。また取付部２２は、バンド３２と電線管６とによって挟持されることにより電線管６の外周面に沿って撓むので、取付具本体２が、より安定した状態で電線管６の外周面に取り付けられることも好ましい。
【符号の説明】
【００２４】
１  アース線取付具
２  取付具本体
２０  金属板
２１  折曲片
２１ａ  ねじ孔
２２  取付部
３  結束部
３１  係止部
３１ｃ  係止爪
３２  バンド
４  取付孔
４ａ，４ｂ  長孔
５  折曲部
６  電線管
【図１】
2015012724.tif 000003
【図２】
2015012724.tif 000004
【図３】
2015012724.tif 000005